(57)【特許請求の範囲】
【請求項１】
タンポによる音孔の密閉度合いを調節する調節ねじをねじ取付部材に取付けた管楽器用調節ねじの取付構造において、
前記ねじ取付部材に、上または下に抜け出さない形状に形成された合成樹脂製のブロックを前記ねじ取付部材の側方から着脱自在に取付け、このブロックに形成された下孔に前記調節ねじをねじ込んで前記ねじ取付部材のねじ孔に螺合したことを特徴とする管楽器用調節ねじの取付構造。
【請求項２】
請求項１記載の管楽器用調節ねじの取付構造において、
ねじ取付部材には台形の嵌合溝が全幅にわたって形成されており、前記嵌合溝にはこれと略同形状に形成された合成樹脂製のブロックが側方から着脱自在に取付けられていることを特徴とする管楽器用調節ねじの取付構造。
【請求項３】
請求項１または２記載の管楽器用調節ねじの取付構造において、
調節ねじの外径ｄに対してブロックの下孔の穴径を０．８５〜０．９５ｄにしたことを特徴とする管楽器用調節ねじの取付構造。
【発明の詳細な説明】
【０００１】
【発明の属する技術分野】
本発明は、フルートなどの木管楽器に用いられる管楽器用調節ねじの取付構造に関する。
【０００２】
【従来の技術】
フルート、オーボエ、クラリネット等の木管楽器は、複数個の音孔を有する管本体を備え、この音孔を鍵機構によって操作されるタンポによって開閉することにより所望の音高の音を発音させるようにしている。したがって、音孔から空気が漏れると、音高、音量、音色等が変化して安定した美しい音が得られないため、タンポの材質、タンポ皿への組込み、調整等の良否が楽器の性能に直接影響するといっても過言ではない。タンポは、音孔に当接したときの雑音の発生を防止するとともに音孔を気密に閉塞する必要があることから、一般に圧縮成形された厚さが２〜３ｍｍ程度の良質のフェルトと台紙を重ね合わせたものを心材とし、この心材をスキン（羊や小牛などの皮革）、ブラダー（羊や山羊などの内臓表皮）等の被覆材によって覆ったものが用いられる。
【０００３】
タンポを操作する鍵機構は、軸によって回動自在に枢支されたカギ管と、このカギ管に固定されたタンポ皿腕と、このタンポ皿腕の先端部に取付けられタンポを収納するタンポ皿と、タンポ皿腕の回動を制限しタンポの音孔に対する密閉の度合を調節する調節ねじ等で概ね構成されている。このような鍵機構は、通常（非演奏時）は音孔を閉塞しており動作時に音孔を開放するものと、反対に通常は音孔を開放しており動作時に音孔を閉塞するものとの２種類がある。
【０００４】
図４（ａ）、（ｂ）に通常音孔を開放している鍵機構における従来の調節ねじの取付構造を示す。同図において、１は木管楽器の管本体、２は管本体１の周面に形成された音孔、３は管本体１の外周に管本体１の軸線と略平行に軸架された軸、４は軸３に回動自在に嵌装されたカギ管、５はカギ管４にロー付け等によって固定されたタンポ皿腕で、先端部にタンポ皿７を有している。６はタンポ皿７に収納され音孔２を開閉するタンポ、８はタンポ皿腕５に対応して軸３に固定された連絡板で、この連絡板８のねじ孔８ａに調節ねじ９が螺合されている。調節ねじ９は、タンポ皿腕５の回動によってタンポ６が音孔２を閉じたとき、タンポ皿腕５に設けられている連絡受け１０が当接することによりタンポ皿腕５の回動を規制する。タンポ６による音孔２の密閉度合いが悪いときは音が音孔２から空気が漏れて音程が狂うため、調節ねじ９を回転操作して連絡受け１０が調節ねじ９に当たるタイミングをずらすことによって、タンポ６が音孔２を最適な状態で閉塞するように調整する。
【０００５】
一方、通常音孔を閉塞している鍵機構における従来の調節ねじの取付構造にあっては、図５（ａ）、（ｂ）に示すようにカギ管４にストッパ１１を連絡板８に対応して固定し、このストッパ１１のねじ孔１１ａに調節ねじ９を螺合し、タンポが音孔を閉じている時、調節ねじ９の先端を連絡板８に図示しないスプリングの弾撥力によって圧接している。この場合も、調節ねじ９を回転操作して連絡板８に対するストッパ１１の角度を変えると、タンポ６による音孔２の密閉度合いを調整することができる。
【０００６】
このような木管楽器における調節ねじの取付構造においては、調節ねじ９が演奏中に緩むおそれがあるため、通常以下に列記するような緩み止め対策を講じている。
▲１▼連絡板８（ストッパ１１も同様）の調節ねじ９が取付けられる先端面にねじ孔８ａに連通するスリ割りを設けて連絡板８の先端部を二股状に形成し、調節ねじ９をねじ孔８ａにねじ込んだ後、二股部をかしめてねじ孔８ａを調節ねじ９に押し付け、ねじ孔８ａと調節ねじ９との間の摩擦力（回転抵抗力）を大きくする。
▲２▼調節ねじ９に溶けた合成樹脂を塗布して固化させ、調節ねじ９とねじ孔８ａとの間に適度な回転抵抗力を与える。
▲３▼調節ねじ９のねじ山の一部を潰してねじ孔８ａに無理矢理ねじ込む。
【０００７】
【発明が解決しようとする課題】
しかしながら、上記した従来の緩み止め対策は、いずれも未だ不十分で改良の余地があった。すなわち、上記▲１▼に示した連絡板８の先端部を二股状に形成してかしめる緩み止め対策は、強くかしめ過ぎると、調節ねじ９を回転させることができず、弱過ぎると調節ねじ９が緩み、最適な回転抵抗力を得ることが難しいという問題があった。また、かしめによってねじ孔８ａと調節ねじ９が楕円形に塑性変形するため、ねじ孔８ａと調節ねじ９の長軸どうしが一致するかまたは直交する角度以外では調節ねじ９が回転して緩むという問題もあった。▲２▼に示した合成樹脂を塗布する緩み止め対策は、何度も調節していると合成樹脂が剥がれて脱落し緩み止め効果が低下する。また、合成樹脂を適量塗布することが難しく、上手に塗布するテクニックが要求されるという問題もあった。▲３▼に示した調節ねじ９のねじ山を潰す緩み止め対策は、適度な回転抵抗力を得ることが難しく、何度も調節していると、上記▲２▼の緩み止め対策と同様に緩み止め効果が低下するという問題があった。
【０００８】
本発明は上記した従来の問題を解決するためになされたもので、その目的とするところは、比較的簡単な構造で調節ねじの緩みを確実に防止することができるようにした管楽器用調節ねじの取付構造を提供することにある。
【０００９】
【課題を解決するための手段】
上記目的を達成するために第１の発明は、タンポによる音孔の密閉度合いを調節する調節ねじをねじ取付部材に取付けた管楽器用調節ねじの取付構造において、前記ねじ取付部材に、上または下に抜け出さない形状に形成された合成樹脂製のブロックを前記ねじ取付部材の側方から着脱自在に取付け、このブロックに形成された下孔に前記調節ねじをねじ込んで前記ねじ取付部材のねじ孔に螺合したものである。
【００１０】
第２の発明は、上記第１の発明において、ねじ取付部材には台形の嵌合溝が全幅にわたって形成されており、前記嵌合溝にはこれと略同形状に形成された合成樹脂製のブロックが側方から着脱自在に取付けられているものである。
【００１１】
第３の発明は、上記第１または第２の発明において、調節ねじの外径ｄに対してブロックの下孔の穴径を０．８５〜０．９５ｄにしたものである。
【００１２】
第１の発明において、調節ねじはブロックの下孔にセルフタップによってねじ込まれるため、適度な回転抵抗力が得られる。
【００１３】
第２の発明において、ブロックはねじ取付部材に対して着脱自在であるため、新しいものとの交換が可能とされる。
【００１４】
第３の発明において、調節ねじの外径ｄに対してブロックの下孔の穴径を０．８５〜０．９５ｄにすると、強過ぎたり弱過ぎたりせず、適度な回転抵抗力が得られ、調節ねじの緩みを防止する。
【００１５】
【発明の実施の形態】
以下、本発明を図面に示す実施の形態に基づいて詳細に説明する。
図１は本発明に係る管楽器用調節ねじの取付構造の一実施の形態を示す分解斜視図、図２は断面図、図３は調節ねじ、ねじ孔および下孔を示す図である。本実施の形態においては、フルートの通常音孔を閉塞させている鍵機構に適用した例を示す。なお、従来技術の欄で示した構成部材等と同一のものについては同一符号を以て示し、その説明を適宜省略する。
【００１６】
楽器本体の外周に取付けられる軸３には、連絡板８がロー付け、半田付け等によって固定されるとともに、カギ管４が回転自在に嵌装されている。また、このカギ管４にはストッパ（ねじ取付部材）１１が前記連絡板８に対応して固定されている。ストッパ１１の連絡板８とは反対側の面には、台形の嵌合溝２０が全幅にわたって形成されるとともに、この嵌合溝２０の底面中央に調節ねじ９が螺合するねじ孔１１ａが貫通して形成されている。また、前記嵌合溝２０には、これと略同形の台形に形成されたブロック２１がストッパ１１の側方から着脱自在に嵌合され、前記調節ねじ９によって固定されている。嵌合溝２０としては、台形に限らず、ブロック２１が図１において上方に抜けださない形状であればよい。ストッパ１１は銀、洋白等の金属によって形成されている。なお、本実施の形態においては、ブロック２１が上方に抜け出さない構造とした例を示しているが、反対に下方に抜け出さない構造とすることも可能である。
【００１７】
前記調節ねじ９は、ステンレス鋼等によって形成されている。調節ねじ９の大きさとしては、長さが４．０ｍｍ程度で、外周面に外径ｄが２ｍｍφ、谷径ｄ１  が１．５６７ｍｍφ、有効径ｄ０が１．７４０ｍｍφで、ピッチＰが０．４の雄ねじ（メートルねじ）２２が形成されている。また、調節ねじ９の先端面、すなわち、ねじ孔１１ａから突出し連絡板８に当接する面は球面状に形成され、後面にはマイナスの溝２３が形成されている。
【００１８】
前記ブロック２１は、ナイロン（６−ナイロン、６−６ナイロン）、ジュラコン等の合成樹脂製で、中央には上下面に貫通する下孔２４が形成されており、前記ストッパ１１の嵌合溝２０に嵌合されると、前記調節ねじ９が下孔２４にねじ込まれるように構成されている。そして、下孔２４にねじ込まれた後、調節ねじ９を前記ストッパ１１のねじ孔１１ａに螺合することにより、ストッパ１１とブロック２１は一体的に結合される。
【００１９】
このようにブロック２１に形成した下孔２４に調節ねじ９をねじ込むと、調節ねじ９とブロック２１との間に適度な回転抵抗力が得られ、調節ねじ９の緩みを防止することができる。すなわち、調節ねじ９は雄ねじ２２が下孔２４の内周面に雌ねじを切りながら（セルフタップ）ねじ込まれるので、ねじ山の頂部がねじ切られた雌ねじの溝壁に隙間なく密接してバックラッシュがなく、予め形成されているねじ孔に螺合する場合に比べて大きな回転抵抗力が得られる。したがって、ストッパ１１のねじ孔１１ａとの間の回転抵抗力が小さい場合であっても、調節ねじ９は緩むことがない。
また、ブロック２１は合成樹脂製であるため、作業者がドライバ等の工具を用いて通常の力で調節ねじ９を下孔２４にねじ込むことができる。
さらに、何度も調節していると、ブロック２１の雌ねじが擦り減って回転抵抗力が低下し緩みが生じることが考えられるが、その場合はブロック２１をストッパ１１から外して新しいものと交換すればよい。一方、調節ねじ９は金属製で従来のように変形したりねじ山を潰したりすることがなく、しかもブロック２１の下孔２４にとっては新品の調節ねじであるか否かが問題にならないため、交換する必要がない。
【００２０】
また、調節ねじ９とブロック２１との間の回転抵抗力は、調節ねじ９の雄ねじ２２とブロック２１にねじ切られる雌ねじとの接触面積に比例するので、下孔２４の穴径ｄ２  を予め適切な値に設定し、調節ねじ９の雄ねじ２２とブロック２１の雌ねじとの接触長さＬを最適な回転抵抗力が得られるように設定すればよい。具体的には、調節ねじ９の外径をｄとすると、下孔２４の穴径ｄ２  を０．８５〜０．９５ｄ程度にすればよい。０．９５ｄ以上であると、タッピング時に大きな操作力を要し、０．８５ｄ以下であると回転抵抗力が小さくなるため好ましくない。より好ましくは、０．８７５〜０．９２５である。実施例としてｄ＝２ｍｍのねじのときは、下孔２４は１．７５〜１．８５ｍｍとする。
【００２１】
なお、上記した実施の形態においては、通常音孔を閉塞している鍵機構における調節ねじの取付構造に適用した例について説明したため、ストッパ１１が調節ねじ９のねじ取付部材を構成し、このストッパ１１にブロック２１を着脱自在に取付けたが、図４に示すように通常音孔を閉塞している鍵機構に適用した場合は、連絡板８がねじ取付部材を構成し、この連絡板８にブロック２１を着脱自在に取付ければよい。
また、本発明においてはストッパ１１とブロック２１をダブルナットとして使用することが可能である。その場合は、ブロック２１をストッパ１１に設けた嵌合溝２０に回転自在にかつ上下方向に若干移動自在に組込み、調節ねじ９をブロック２１の下穴２４にねじ込んでストッパ１１のねじ孔２２に螺合した後、ブロック２１を回転させて嵌合溝の底面に押し付けるようにすればよい。
【００２２】
【発明の効果】
以上説明したように本発明に係る管楽器用調節ねじの取付構造によれば、ねじ取付部材に、上または下に抜け出さない形状に形成された合成樹脂製のブロックを前記ねじ取付部材の側方から着脱自在に取付け、このブロックの下孔に調節ねじをねじ込んで前記ねじ取付部材のねじ孔に螺合するように構成したので、調節ねじとブロックとの間に適度な回転抵抗力を得ることができ、調節ねじの緩みを確実に防止することができる。また、調節ねじとブロックとの間の回転抵抗力が低下した場合は、ブロックを新しいものと交換するだけで、ねじ自体は交換する必要がなく何回でも使用することができる。さらに、下孔の穴径を変えることにより所望の回転抵抗力を得ることができる。
【図面の簡単な説明】
【図１】本発明に係る管楽器用調節ねじの取付構造の一実施の形態を示す分解斜視図である。
【図２】断面図である。
【図３】調節ねじ、ねじ孔および下孔を示す図である。
【図４】（ａ）、（ｂ）は従来の調節ねじを備えた鍵機構の拡大断面図および平面図である。
【図５】（ａ）、（ｂ）は同じく従来の調節ねじを備えた鍵機構の拡大断面図および平面図である。
【符号の説明】
１…管本体、２…音孔、３…軸、４…カギ管、５…タンポ皿腕、６…タンポ、７…タンポ皿、８…連絡板、９…調節ねじ、１０…連絡受け、１１…ストッパ、２０…嵌合溝、２１…ブロック、２２…雄ねじ、２４…下孔。
【図１】
0003630055.tif 000002
【図２】
0003630055.tif 000003
【図３】
0003630055.tif 000004
【図４】
0003630055.tif 000005
【図５】
0003630055.tif 000006